Podtech/llm-jp-corpus-v4-ja_patent huggingface dataset:
(57)【要約】【課題】ネット材の側縁の接続部の強度を高くし、接続されるネットどうしの隙間の発生を無くするとともに、敷設作業が容易な土木用樹脂ネットを提供する。【解決手段】ネットの長手方向の一側縁部を、２０ｍｍ〜１５０ｍｍ程度の幅で表側に略１８０°折り返して成型した接続部（２ａ）と、他側縁部を同様の幅で裏側に略１８０°折り返して成型した接続部（２ｂ）を設けた土木用樹脂ネットを特徴とする。【選択図】図１
2018184820.tif 000002
【特許請求の範囲】
【請求項１】
侵食防止および雑草抑制などの可撓性を有する土木用樹脂製のネットにおいて、ネットの長手方向の一側縁部を２０ｍｍ〜１５０ｍｍ程度の幅で表側に略１８０°折り返して成型した接続部と、他側縁部を同様の幅で裏側に略１８０°折り返して成型した接続部を有することを特徴とする土木用樹脂ネット。
【請求項２】
請求項１の土木用樹脂ネットに吸出し防止効果があって、植物種子が装着された耐腐食性材料のシートを、一体化させて形成したことを特徴とする土木用樹脂ネット。
【発明の詳細な説明】
【技術分野】
【０００１】  この発明は、侵食防止および雑草抑制などの可撓性を有する土木用樹脂ネットの側縁部の接続構造に関するものであり、より詳しくは、法面等に上記ネットを敷設したときに、隣接する二つのネットの縁部における、強固で隙間が生じなく、敷設作業が容易な接続構造を有する、土木用樹脂ネットに関するものである。
【背景技術】
【０００２】  例えば河川堤防や道路などの法面に、法面の侵食防止や雑草の抑制対策として、ジオグリットやジオネットと呼ばれる可撓性のある土木用樹脂ネットを張る工法が施工されている。これらのネットは図３のように、隣り合ったネットの側縁部どうしを単純に重ね合わせてから、この両者を鋼製や樹脂製のアンカーピンで止着して敷設されていた。
【発明の概要】
【発明が解決しようとする課題】
【０００３】  しかし、従来の接続構造では、河川の流水による水圧や盛土の土圧によりアンカーピン付近からネットが裂けていくという問題や、重ね合わせたネットの隙間に水流があたり、ネットが剥がれるといった問題があった。【０００４】  さらに、雑草抑制対策として施工される場合は、重ね合わせたネットの隙間に、例えばセイタカアワダチソウやイタドリなどの雑草の地下茎が侵入し、重ね合わせたネットの隙間から発芽して抑制効果が得られないといった課題もあった。【０００５】  また、隣り合ったネットの側縁部どうしを重ね合わせて敷設する場合に、重ね合わせ長さを均等に確保するために、多くの人手を要するといった施工上の課題もあった。【０００６】  本発明は、侵食防止および雑草抑制などの土木用樹脂ネットにおける前記の課題に鑑み成されたものであって、ネットの側縁部どうしの接続構造について、強度の向上と雑草抑制効果の向上、敷設作業労力の軽減を図ることを目的とする。
【課題を解決するための手段】
【０００７】  上記の目的を達成するために、本発明はネットの長手方向の一側縁部を、２０ｍｍ〜１５０ｍｍ程度の幅で表側に略１８０°折り返して成型した接続部と、他側縁部を同様の幅で裏側に略１８０°折り返して成型した接続部を設けたことを特徴とした、土木用樹脂ネットである（請求項１）。【０００８】  また、この発明は別の観点から上記請求項１の土木用樹脂ネットと、吸出し防止効果があって植物種子が装着された耐腐食性材料のシートを一体化させて形成させた植生用の土木用樹脂ネット（請求項２）を提供する。
【発明の効果】
【０００９】  この発明によれば、ネットの側縁部の継ぎ手部分が４重に折り重なることで強度が増し、集中荷重によりアンカーピン付近から裂けたり、河川の水流により剥がれる可能性が少なくなる。【００１０】  また、ネットの側縁の接続部どうしが嵌合されることで隙間ができなくなるので、雑草の地下茎の侵入を阻止することができ、セイタカアワダチソウやイタドリの繁茂を防止することができる。【００１１】  さらに、隣り合ったネットの側縁の接続部どうしが嵌合できるので、従来のように重ね幅の調整に多くの人手を要することなく、簡単に敷設作業ができコスト削減を図ることができる効果もある。
【発明を実施するための形態】
【００１２】  図１はロール状に巻かれた本発明の接続構造を有する土木用樹脂ネットの斜視図で、図２は図１のＡ−Ａの拡大断面図である。本発明に使用する土木用樹脂ネットは可撓性と耐久性、強度を有する、例えば高密度ポリエチレン、ポリエステル、アラミドを主材として成型したものである。前記の土木用樹脂ネット（１）の長手方向の一側縁部を、２０ｍｍ〜１５０ｍｍ程度の幅で表側に略１８０°折り返して形成した接続部（２ａ）と、他側縁部を同様の幅で裏側に略１８０°折り返して成型した接続部（２ｂ）を設ける。
【００１３】  図４は本発明の実施形態を示す断面図である。ネットの長手方向の一側縁部を２０ｍｍ〜１５０ｍｍ程度の幅で表側に略１８０°折り返して成型した接続部（２ａ）と、隣り合ったネットの他側縁部を同様の幅で裏側に略１８０°折り返して成型した接続部（２ｂ）を嵌合させ、アンカーピン（３）で止着し順次法面の一方向に敷設していく。
【００１４】  図５は本発明の第二の発明を示すもので、前記の接続構造を有する土木用樹脂ネット（１）に、軽量で吸出し防止効果があって植物種子が装着された耐腐食性材料シート（４）を、一体化させて形成したことを特徴とする土木用樹脂ネットである。耐腐食性材料シート（４）の材質はビニロンやナイロン、ポリエステル繊維などの合成繊維によるもので、目付け量２５ｇ〜７０ｇ程度の不織布が望ましい。この耐腐食性材料シート（４）に装着される植物種子としてヨモギ、チガヤ、クリーピングレッドフェスクスク等が好適である。
【図面の簡単な説明】
【００１５】
【図１】本発明の成型された接続構造を有する土木用樹脂ネットの斜視図である。
【図２】図１のＡ−Ａの拡大断面図である。
【図３】従来の土木用樹脂ネットの施工における接続構造を示す断面図である。
【図４】本発明の接続構造を有する土木用樹脂ネットの施工実施形態を示す断面図である。
【図５】本発明の第二発明の実施形態を示す断面図である。
【符号の説明】
【００１６】  １    土木用樹脂ネット
２ａ〜２ｂ    接続部
３    アンカーピン
４    耐腐食性材料シート
【図１】
2018184820.tif 000003
【図２】
2018184820.tif 000004
【図３】
2018184820.tif 000005
【図４】
2018184820.tif 000006
【図５】
2018184820.tif 000007
(57)【要約】      （修正有）【課題】車両の冬季スリップ防止策として、勾配のある氷雪路面やアイスバーンでも登坂、発信、停止が可能で、かつ着脱が容易なタイヤのスリップ防止器具を提供する。【解決手段】車両タイヤのトレッド部にショルダーの外側から対になるＴ字形スリット（１）を設け、そのスリットにＨ字形ブリッジ状スリップ防止器具（２）を挿入すれば、高速回転でも外れること無く、スリップを防止できる。Ｈ字形ブリッジ状スリップ防止器具（２）は、タイヤのトレッド外周全体に、等間隔に取り付ける。また、スタッドレスタイヤに設けると、ほぼ完全なスリップ防止効果が期待できる。そして氷雪以外の路面では、Ｈ字形ブリッジ状スリップ防止器具（２）は、簡単に取り外せる。【選択図】図３
2018203219.tif 000002
【特許請求の範囲】
【請求項１】
車両のタイヤのトレッド部に、外側のショルダー部から対になるＴ字形スリット（１）を設け、そのスリットにＨ字形でブリッジ状のスリップ防止器具（２）を差込み、高速回転しても外れないようにした氷雪路面用の、タイヤのスリップ防止装置。
【請求項２】
スリップ防止器具を挿入するＴ字形スリットは、タイヤの外側ショルダーからトレッド幅の３分の２ぐらいに作り、車両の前進走行で簡単に抜け落ちない為に、スリットの角度はタイヤの側面に直角でなく、挿入部より終点部は、タイヤの上部に作る場合、車両の少し後ろ側にする。
【請求項３】
トレッドにスリットを作る部分（３）は、ゴムをその部分のみタイヤの内面で厚くして強度を増す事も可能である。
また、Ｈ字形ブリッジ状スリップ防止器具（２）の替わりに、脱着の簡便さを優先させる場合は、否ブリッジで一本のスリップ防止器具を、単独Ｔ字形スリットに取り付ける。
【発明の詳細な説明】
【技術分野】
【０００１】  この発明は、冬季の雪路や凍結路面において車両のタイヤに取り付ける、タイヤのスリップ防止装置に関するものである。
【背景技術】
【０００２】  従来、冬季の氷雪路面の走行には、ノーマルタイヤにチェーンを巻くか、スタッドレスタイヤを使う、タイヤチェーンは年に数回しか使わないユーザーには、取り付け作業が時間のかかる面倒なものであり、またスタッドレスタイヤではツルツル氷結路面での登坂力とブレーキ制動力の低下に問題がある。
【発明の開示】
【発明が解決しようとする課題】
【０００３】  一般にスタッドレスタイヤは、以前のスパイクタイヤとの比較では、アイスバーンに対するスリップ防止力が不足し、タイヤチェーンは脱着の複雑な作業の欠点がある。
この発明は以上の欠点を、なくす為になされたものである。
【課題を解決するための手段】
【０００４】  タイヤの外側からトレッドに設けた対のＴ字形スリット（１）に、簡単かつ短時間に取り付けと取り外しが出来るＨ字形でブリッジ状スリップ防止器具（２）を提供する。
【発明の効果】
【０００５】  Ｈ字形でブリッジ状スリップ防止器具（２）には、氷雪路面に対して、今は禁止になっているスパイクタイヤと同じスリップ防止効果があり、氷雪の路面変化に容易な着脱ですばやく対応できる。
【発明を実施するための最良の形態】
【０００６】  以下、本発明を実施するための最良の形態について説明する。
車両タイヤのトレッド部に、タイヤの外側ショルダーから設けた対になるＴ字形スリット（１）に、タイヤの変形になじむ薄くバネ効果のある金属素材等のＨ字形でブリッジ状スリップ防止器具（２）を挿入すれば、高速回転でも外れずにスリップを防止する事が出きる。
Ｈ字形ブリッジ状スリップ防止器具（２）の接地部分は、スパイク効果のある形状にし氷雪の状況に応じた形とサイズで作製し、複数の対になるＨ字形でブリッジ状スリップ防止器具（２）を均等にタイヤのトレッド外周全体に設け、スリップに対応する。【０００７】  対になるＴ字形スリット（１）は、車両の前進走行で抜けないように、タイヤの側面からトレッドに直角でなく、挿入部より終点部はタイヤの上部で作るなら、車両の少し後ろ側にする。【０００８】  トレッドにスリットを作る部分（３）は、その部分のみ内面のゴムを厚くして強度を増す事も可能である。【０００９】  スリップ防止器具の脱着のスピードと簡便さを優先させる場合は、否ブリッジのＨ字形一本スリップ防止器具が良い。
【図面の簡単な説明】
【００１０】
【図１】  車両左タイヤの対になるＴ字形スリット（１）の斜視図である。
【図２】  Ｈ字形ブリッジ状スリップ防止器具（２）の斜視図である。
【図３】  車両左タイヤの対になるＴ字形スリット（１）に挿入した、Ｈ字形ブリッジ状スリップ防止器具（２）の斜視図である。
【図４】  スリットを設ける部分（３）のタイヤの内面補強部の断面図である。
【符号の説明】
【００１１】  １  対のＴ字形スリット
２  Ｈ字形ブリッジ状スリップ防止器具
３  スリット作製箇所
【図１】
2018203219.tif 000003
【図２】
2018203219.tif 000004
【図３】
2018203219.tif 000005
【図４】
2018203219.tif 000006
(57)【要約】【課題】ミウラ折りのデザイン・パラメータのある領域では、ジャバラ折りした短冊に斜めの折り筋を加工しておけば、その状態からは手仕事で容易にミウラ折りに変換できることが知られている。しかし、斜めの折り筋を、汎用の折り機械で加工することはできない。【解決手段】前記短冊の挿入端が同じ斜め角になるように、設計の側で調整すれば、実行できることを示し、製造法を確立した。【選択図】図３
2018203532.tif 000002
【特許請求の範囲】
【請求項１】
用紙を互いに平行で等間隔の線群Ａで記述される数個の折り目で、交互に谷折り山折りに折った帯状片Ｓの一端部Ｘを、Ａ方向と直交方向に対してθだけ傾いた形状とし、該端部を、折り機械Ｆへの挿入方向に垂直の位置で挿入し、該帯状片に、該端部Ｘに平行で間隔をおいた線群Ｂで記述される、交互に山折り、谷折りを生成することを特徴とする折り畳み文書の製造法。
【請求項２】
用紙を互いに平行で等間隔の線群Ａで記述される数個の折り目で、交互に谷折り山折りに折った帯状片ＳをＡ方向の長さの略中央部で、内角２θで二つに折り、生成された端部折り目Ｘを、折り機械Ｆへの挿入方向に垂直の位置で挿入し、該帯状片に、折り目Ｘに平行な山折り、谷折りを交互に生成し、その後折り目Ｘ近傍で分割して二つの文書にすることを特徴とする折り畳み文書の製造法。
【発明の詳細な説明】
【技術分野】
【０００１】  本発明は、折り畳み文書の製造法に関するものである。
【背景技術】
【０００２】  折り畳み文書のなかで、通称ミウラ折りと呼ばれるものは、その独特の折り目の配列により、展開・収納は一動作ですみ、折り目を記憶する、折り目の破断しがたい、展開時の高い剛性等の優れた性質を有する。反面、ミウラ折りのその特殊な性質の故に、製造に用いる専用折り機械の速度が汎用の折り機械より格段に低く、コストが高くなる問題がある。【０００３】  このような状況を改善する一つの手段は、下記２文献に提案されている。それは、汎用の折り加工法を利用して出来るだけの工程をこなし、ミウラ折りに変換が容易な中間形状、言わば、「中間ミウラ折り」または「メソ・ミウラ折り」を作り、ミウラ折りへの変換をユーザーに任せるという手段である。【０００４】  しかしながら、現在のところ、中間ミウラ折りの具体的な製造法は確立していない。問題点は、ミウラ折り固有の斜めの折り線群の加工法にある。
【先行技術文献】
【特許文献】
【０００５】
【特許文献１】特願２０１６−１６４１３３
【０００６】
【非特許文献１】三浦公亮、ミウラ折り変換の発見と紙地図、日本地図学会「地図」、Ｖｏｌ．５４，Ｎｏ．３，２０１６
【発明の概要】
【発明が解決しようとする課題】
【０００７】  中間ミウラ折り文書の製造に適合する形状設計と製造法を提供する。
【課題を解決するための手段】
【０００８】  本発明は、請求項１に示すように、用紙を互いに平行で等間隔の線群Ａで記述される、数個の折り目で交互に谷折り山折りに折った帯状片Ｓの一端部Ｘを、Ａ方向と直交方向に対してθだけ傾いた形状とし、該端部を、折り機械Ｆへの挿入方向に垂直の位置で挿入し、該帯状片に、該端部Ｘに平行で間隔をおいた線群Ｂで、交互に山折り、谷折りを生成することを特徴とする折り畳み文書の製造法を提供することにある。【０００９】  本発明は、請求項２に示すように、用紙を互いに平行で等間隔の線群Ａで記述される、数個の折り目で交互に谷折り山折りに折った帯状片ＳをＡ方向の長さの略中央部で、内角２θで二つに折り、生成された端部折り目Ｘを、折り機械Ｆへの挿入方向に垂直の位置で挿入し、該帯状片に、折り目Ｘに平行な山折り、谷折りを交互に生成し、その後折り目Ｘ近傍で分割して二つの文書にすることを特徴とする折り畳み文書の製造法を提供する。
【発明の効果】
【００１０】  効果の説明のために、始めに問題点を説明する。汎用の折り機械の最も基本的な構成は、複数個のローラーを平行に組み合わせたものに、複数個の用紙先端位置のストッパーの配置である。そして、折り目の形成は、ローラーと平行で、またストッパーとも平行となる。ミウラ折りでは、折り目は、短冊に折られた長方形の長手方向と直角な方向とθだけ傾いており、従って、一般的には、汎用の折り機械は利用できない。【００１１】  請求項１のように、挿入する先端部分が、ローラーと平行になるように、中間ミウラ折りの先端部Ｘを角度θに改変する。すると、先端部分、折り目すべてが、ローラー及びストッパーとも平行とすることができる。そのようにすると、中間ミウラ折りを汎用の折り機械で製造することができる。【００１２】  請求項２に示されるように、二つに折られたときに生成される角度θの先端部Ｘで、請求項１とほぼ同様に製造することができる。この場合は、挿入口に対して、挿入物が対称形であるので、より安定な加工が可能である。【００１３】
【図面の簡単な説明】
【００１４】
【図１ａ】中間ミウラ折りの展開図である。
【図１ｂ】中間ミウラ折りの短冊を示す平面図
【図２】中間ミウラ折りの短冊の先端形状を変え、折り機械に挿入する模式図である。
【図３】中間ミウラ折りの長い短冊を、二つに折り、折り機械に挿入する模式図
【図４ａ】折り機械に対応するように設計した中間ミウラ折りの短冊
【図４ｂ】折り機械に対応するように設計した中間ミウラ折りの展開図
【発明を実施するための形態】
【実施例１】
【００１５】  図１ａは、中間ミウラ折りの展開図を示し、Ａは平行で等間隔の線群を、Ｂは角度θだけ傾いた折り目で、そのうち実線ｍは山折り、破線ｖは谷折りである。図１ｂは、図１ａのものを縦方向に三つ折り短冊Ｓにしたものである。図で折り目の傾斜角θは、実際は４度程度であるが、図では見にくいので、誇張して描写してある。【００１６】  図２は、折り機械の給紙口Ｆに対して、先端部をθだけカットしＸとした短冊Ｓを、挿入する操作を示す。挿入する方向は、給紙口Ｆに垂直な方向である。
【実施例２】
【００１７】  図３は、折り機械の給紙口Ｆに対して、内角２θで折り先端部Ｘとした短冊Ｓを、給紙口Ｆに垂直に挿入する操作を示す。生産されたＶ字型の製品は、分割して、二つの短冊となる。Ｘにおける折りは、ミシン目でつけると、分割が容易となる。勿論、実施例１の短冊二つを一時的に結合して、様の操作が可能である。
【実施例３】
【００１８】  図４ａは、実施例１で生産された中間ミウラ折りの短冊Ｓ、図４ｂは、その展開図である。これは図１に示した形状と比べると、左端の形状がジグザグとなっている。これは製造のための設計であるので、製造後いかようにも加工可能で、例えばカットして、ストレートにすることもできる。
【記号の説明】
【００１９】Ａ  ：平行な線群
Ｂ  ：Ａと直交する線とθだけ傾いた等間隔の線群
Ｆ  ：折り機械給紙口
Ｓ  ：帯状片
Ｘ  ：帯状片一端のエッジ線
ｖ  ：谷折り（実線）
ｍ  ：山折り（破線）
θ  ：ミウラ折り固有の角度、線群Ａと直交する線と折り目の間の角度
【図１ａ】
2018203532.tif 000003
【図１ｂ】
2018203532.tif 000004
【図２】
2018203532.tif 000005
【図３】
2018203532.tif 000006
【図４ａ】
2018203532.tif 000007
【図４ｂ】
2018203532.tif 000008
(57)【要約】【課題】  本発明は、脂肪酸塩を基剤とするにもかかわらず、泡質が良好で、保湿感を有する洗浄料組成物を提供することを課題とする。【解決手段】下記の（Ａ）〜（Ｃ）を含有する洗浄料組成物を提供する。（Ａ）高級脂肪酸塩（Ｂ）メタクリル酸とエチルアクリレートとの架橋コポリマーのエマルション（Ｃ）グリセリルグルコシド【選択図】          なし【特許請求の範囲】
【請求項１】
下記の（Ａ）〜（Ｃ）を含有する洗浄料組成物。
（Ａ）高級脂肪酸塩
（Ｂ）メタクリル酸とエチルアクリレートとの架橋コポリマーのエマルション
（Ｃ）グリセリルグルコシド
【発明の詳細な説明】
【技術分野】
【０００１】
本発明は、洗浄料組成物に関する。
【背景技術】
【０００２】
従来より、洗浄料として、種々の商品が開発されており、特に高級脂肪酸塩を基剤とするものは、洗浄力に優れ、泡立ちが良く、さっぱりとした感触があるため、洗顔料や全身洗浄料等に用いられている。しかし、その強力な洗浄力により、皮膚に必要な皮脂等まで落としてしまい、洗浄後に肌がかさつき、つっぱるといった問題が生じている。
【０００３】
洗浄後の肌のかさつきや、つっぱり感の改善のために、ジグリセリンのポリオキシプロピレン付加物と併用した例（特許文献１）、植物エキスと併用した例（特許文献２）があるが、いずれも効果が不十分で、問題を解決するには、至っていない。
【先行技術文献】
【特許文献】
【０００４】
【特許文献１】特開平６−１１６１３５号公報
【特許文献２】特開平１０−８８１９３号公報
【発明の概要】
【発明が解決しようとする課題】
【０００５】
本発明は、脂肪酸塩を基剤とするにもかかわらず、泡質が良好で、保湿感を有する洗浄料組成物を提供することを課題とする。
【課題を解決するための手段】
【０００６】
本発明は、下記の（Ａ）〜（Ｃ）を含有する洗浄料組成物を提供する。
（Ａ）高級脂肪酸塩
（Ｂ）メタクリル酸とエチルアクリレートとの架橋コポリマーのエマルション
（Ｃ）グリセリルグルコシド
【発明の効果】
【０００７】
本発明の洗浄料組成物は、泡立ち、洗浄力、泡質が良好で、保湿感を有しながらもさっぱり感を有するという効果を発揮する。
【発明を実施するための形態】
【０００８】
以下本発明を実施するための形態を説明する。
【０００９】
本発明で用いる高級脂肪酸塩を構成する高級脂肪酸としては、飽和若しくは不飽和のいずれであってもよく、炭素数８〜２４、特に１０〜２２のものが好ましい。これらの脂肪酸の中でも直鎖飽和脂肪酸を用いることが、好ましい。好ましいものの具体例としては、ラウリン酸、ミリスチン酸、パルミチン酸、ステアリン酸、ヤシ油脂肪酸、還元ヤシ油脂肪酸、パーム核脂肪酸などが挙げられる。これらの脂肪酸の中でも、泡立ち、安全性、安定性の面から、ラウリン酸、ミリスチン酸、パルミチン酸、ステアリン酸から選択される１種又は２種以上を含有することが好ましく、特にラウリン酸とミリスチン酸とパルミチン酸の３種を用いることが好ましい。これらの高級脂肪酸と塩を形成するアルカリ剤としては、ナトリウム、カリウムなどのアルカリ金属塩、アンモニウム塩、モノエタノールアミン、ジエタノールアミン、トリエタノールアミン、２−アミノ−２−メチルプロパノール、２−アミノ−２−メチルプロパンジオールなどのアルカノールアミン塩、リジン、アルギニンなどの塩基性アミノ酸塩等が挙げられる。これらのうち、特にカリウム、アルギニンが好ましい。
【００１０】
また、これらの高級脂肪酸塩は、必ずしも脂肪酸塩として洗浄料組成物に配合する必要はなく、上記高級脂肪酸と塩基とをそれぞれ別個に添加し、組成物中で脂肪酸塩を形成させてもよい。
【００１１】
高級脂肪酸塩の配合量は、１５〜２５質量％が好ましい。１５質量％未満の配合では十分な洗浄力が得られない場合がある。２５質量％を超えて配合すると、結晶の析出や、液状の形態を保てなくなる場合がある。
【００１２】
本発明で用いるメタクリル酸とエチルアクリレートとの架橋コポリマーのエマルション（アクリレーツコポリマーエマルションと略す場合があります。）は、アルカリで膨潤する水性分散体であり、純分３０％のポリマーのエマルションである。かかるアクリレーツコポリマーエマルションとしては、カーボポールアクアＳＦー１（ノベオン社製）が例示される。
【００１３】
アクリレーツコポリマーエマルションの配合量は、他の成分の種類、量、ｐＨ等により変動されるべきものであり、所望の粘稠性が得られれば、特に限定されない。架橋コポリマー純分として０．０５〜１．０質量％程度配合することが好ましい。０．０５質量％未満の配合では保湿効果が得られない場合がある。１．０質量％を超えて配合すると、洗い流し後のさっぱり感が得られない場合がある。
【００１４】
本発明で用いるグリセリルグルコシドは、洗浄料組成物に配合し得るものであれば製造方法は、合成、微生物による発酵法等を問わない。グリセリルグルコシドは、０．０５〜５質量％、好ましくは０．１〜３質量％配合する。０．０５質量％未満の配合では、保湿感が感じられない場合がある。５質量％を超えて配合すると、洗浄後のさっぱり感がなくなる場合がある。
【００１５】
本発明の洗浄料には、上述の成分の他に、通常の洗浄料分野等に用いられる任意成分を、本発明の効果を阻害しない程度に配合することができる。具体的には、精製水、油剤、界面活性剤、増粘剤、防腐剤、香料、紫外線吸収剤、保湿剤、抗酸化剤、抗炎症剤、抗菌剤等を挙げることができる。
【００１６】
本発明の洗浄料は、常法により製造され、固形状、液状、乳液状、クリーム状、ペースト状、ジェル状、軟膏状等の剤型とすることができる。本発明の効果の点から、適度な粘性を有する液状の剤型をとることが好ましい。また本発明の洗浄料は、皮膚洗浄料、毛髪洗浄料として使用することができ、特に皮膚洗浄料として使用することが好ましい。
【実施例】
【００１７】
以下に本発明を実施例を用いて説明するが、本発明の技術的範囲はこれによってなんら限定されるものではない。
【００１８】
本発明の実施例及び比較例の評価方法は下記のとおりである。
【００１９】
［評価方法］
専門パネラー３名により、ボディでの使用テストを行い、洗浄料組成物の泡立ち、洗浄力、泡質、保湿感、さっぱり感について、それぞれ絶対評価を行った。評価結果は下記の基準を用いて合議により判定した。
【００２０】
［評価基準］泡立ち、洗浄力、泡質
◎：非常に良い
○：良い
△：少し悪い
×：悪い
【００２１】
［評価基準］保湿感、さっぱり感
◎：強く感じる
○：少し感じる
△：あまり感じない
×：感じない
【００２２】
表１、２に、本発明の実施例及び比較例にかかるボディ用洗浄料の処方を示す。洗浄料は定法に従い調製し、評価に供した。
【００２３】
【表１】
2018203703.tif 000002
【００２４】
表１に示した通り、本発明の洗浄料は、高級脂肪酸塩特有の泡立ち、洗浄力の良さとさっぱり感はそのままに、泡質、保湿感に優れた使用感であった。
(57)【要約】【課題】一斗缶やペール缶などの缶体から、液体を小出しする際、注ぎ口を上に横置き固定するだけで、意図した量をこぼすことなく誰でも簡単に熟練者のように小出しできる、反転倒立台座を提供する。【解決手段】一斗缶やペール缶などの缶体を、注ぎ口を上に横置き出来、注ぎ口を開けても液体がこぼれ出ない傾きで固定できる缶置台2に、缶体の注ぎ口を中心に、缶底側が円を描くように持ち上げられる支持軸2-aを設け、缶体が垂直を超えても転倒しない台座1で支持軸2-aを支え、支持軸2-aにハンドル3-aを設けた変速機3を連結し、台座1に固定した反転倒立台座で解決する。【選択図】図２
2018203378.tif 000002
【特許請求の範囲】
【請求項１】
缶体を、注ぎ口を上に横置き出来、注ぎ口を開けても液体がこぼれ出ない傾きで固定できる缶置台2に、缶体の注ぎ口を中心に、缶底側が円を描くように持ち上げられる支持軸2-aを設け、缶体が垂直を超えても転倒しない台座1で支持軸2-aを支え、支持軸2-aにハンドル3-aを設けた変速機3を連結し、台座1に固定した反転倒立台座。
【発明の詳細な説明】
【技術分野】
【０００１】
本発明は、一斗缶やペール缶などの液体が入った缶体から、容易に小出しできる缶体反転倒立台座に関するものである。
【背景技術】
【０００２】
一斗缶やペール缶などの缶体から、液体を小出しするには、缶体を持ち、出てくる液体が注ぎ口を塞がないように、小出しする容器に向けて傾けていかねばならず、こぼさずに必要量を小出しするには、かなりの体力と熟練が必要となる。専用ポンプや、空気流入アタッチメントや、缶体を支えるスタンドなどがあるが、液体粘度に左右されたり、こぼれてしまったりなどの問題があった。
【先行技術文献】
【特許文献】
【０００３】
【特許文献１】特開2007-91269号  公報
【特許文献２】特開2011−126597号  公報
【特許文献３】特開2010−280440号  公報
【特許文献４】特開2009−107643号  公報
【特許文献５】特開2009−107644号  公報
【特許文献６】特開2005-008271号  公報
【特許文献７】特開2000-255582号  公報
【特許文献８】特開2008-100714号  公報
【特許文献９】特開2011-136770号  公報
【特許文献１０】特開平11-236100号
【特許文献１１】特開平10-194293号  公報
【特許文献１２】特開平08-198390号  公報
【特許文献１３】特開平08-151100号  公報
【特許文献１４】特開平07-260087号  公報
【特許文献１５】特開平07-300137号  公報
【特許文献１６】実開平07-033849号  公報
【特許文献１７】実開平06-080645号  公報
【特許文献１８】実登3139517号  公報
【特許文献１９】実登3061779号  公報
【特許文献２０】実登3000577号  公報
【特許文献２１】実登3096867号  公報
【特許文献２２】実登3065545号  公報
【特許文献２３】実登3052321号  公報
【特許文献２４】特開平06-288356号  公報
【特許文献２５】特開平06-288357号  公報
【特許文献２６】特開平06-101637号  公報
【特許文献２７】実開平05-019799号  公報
【特許文献２８】特開2008−100714号  公報
【特許文献２９】特開2011−136770号  公報
【発明の概要】
【発明が解決しようとする課題】
【０００４】
本発明は、液体の入った一斗缶やペール缶などの缶体から、必要量を取り出す小出し作業を、誰でも容易にこぼさず行える装置を提供する。
【課題を解決するための手段】
【０００５】
本発明は、一斗缶やペール缶などの缶体を、注ぎ口を上に横置き出来、注ぎ口を開けても液体がこぼれ出ない傾きで固定できる缶置台2に、缶体の注ぎ口を中心に、缶底側が円を描くように持ち上げられる支持軸2-aを設け、缶体が垂直を超えても転倒しない台座1で支持軸2-aを支え、支持軸2-aにハンドル3-aを設けた変速機3を連結し、台座1に固定した反転倒立台座で解決する。
【発明の効果】
【０００６】
本発明は、液体の入った缶体を注ぎ口が上になる様に横置き固定すれば、ハンドルを回すだけで、注ぎ口の位置がほぼ変化せず缶底が持ち上がり、出てくる液体が注ぎ口を塞がないように見ながら傾けられ、最初から少量であっても、小出しする容器を、注ぎ口のベロ下に添えれば、こぼさず必要量を小出し出来る。小出し終えたら、液体が出てこない位置まで戻し、その位置で保管出来、残量の目安もつけられ、次に小出しする際、すぐに液体が出始めるので、勢い余ってこぼすこともない。
【図面の簡単な説明】
【０００７】
【図１】本発明の缶置台と台座の基本構成図である。
【図２】図1の基本構成に、変速機とハンドルを設け、一斗缶を固定した図である。
【図３】ハンドルを回し、缶体が水平近くに持ち上がった図である。
【図４】さらにハンドルを回し、缶体が反転倒立していく図である。
【図５】さらにハンドルを回し、缶体が反転倒立していく図である。
【図６】さらにハンドルを回し、缶体が反転倒立していく図である。
【図７】さらにハンドルを回し、缶体が反転倒立していく図である。
【図８】ペール缶を搭載した図である。
【発明を実施するための形態】
【０００８】
以下、本発明の実施の形態を図に従って説明する。
図1において、台座1は、缶置台2の支持軸2-aが回転しても支えられ、缶置台2が垂直を上回っても転倒しない構造になっている。缶置台2は、缶体の注ぎ口を上に、横置き出来、注ぎ口の蓋を開けても、中から液体があふれ出ない傾きに調整できる2-bの調整機構を備え、2−dのように缶体を固定できる構造になっており、缶体の注ぎ口を中心に回転できる支持軸2-aで構成される。
図2において、缶置台2の支持軸2-aに接続され、台座1に固定された変速機3に取り付けられたハンドル3-aを回すことで、缶置台２が支持軸2-aを中心に缶置台の缶底側が円を描くように回転し、重い缶体でもゆっくり軽く反転倒立する構造になっている。
図３から図７において、反転倒立途中でも静止できるように、変速機は、ウォームギヤを使用するか、ストッパーやブレーキ機構などを有する構造とする。
図８において、一斗缶やペール缶などの違う缶体であっても、搭載することのできる寸法であるか、調節機構があると望ましい。
【符号の説明】
【０００９】
１      台座
2      缶置台
2-a    支持軸
2-b    調整脚
2-c    ベルト掛け
3      変速機
3-a    ハンドル
【図１】
2018203378.tif 000003
【図２】
2018203378.tif 000004
【図３】
2018203378.tif 000005
【図４】
2018203378.tif 000006
【図５】
2018203378.tif 000007
【図６】
2018203378.tif 000008
【図７】
2018203378.tif 000009
【図８】
2018203378.tif 000010